(57)【要約】【課題】操作パネルの着脱と同時にディスプレイユニットの収容／突出動作を行うことにより、操作パネルを取り外した際にディスプレイユニットの収容し忘れを防ぐことができ、高品質な操作性と優れた盗難防止効果を発揮できるディスプレイユニットの制御装置を提供する。【解決手段】ディスプレイユニット３が機器本体１より突出している状態で操作パネル２を機器本体１から取り外した時、ディスプレイユニット３を機器本体１に収容させるようになっている。また、ディスプレイユニット３を機器本体１に収容している状態で操作パネル２を機器本体１に取り付けた時、ディスプレイユニット３を機器本体１より突出させるようになっている。【選択図】　図１
2004034753.tif 000002
【特許請求の範囲】
【請求項１】
機器本体に対して収容／突出可能に構成されたディスプレイユニットを備え、前記機器本体に対する前記ディスプレイユニットの収容動作及び突出動作を制御するディスプレイユニットの制御装置において、
前記機器本体又は前記ディスプレイユニットに対して操作パネルを着脱自在に取り付け、
前記ディスプレイユニットが前記機器本体より突出している状態で前記操作パネルを前記機器本体又は前記ディスプレイユニットから取り外した時、前記ディスプレイユニットを前記機器本体に収容させるように構成したことを特徴とするディスプレイユニットの制御装置。
【請求項２】
前記ディスプレイユニットを前記機器本体に収容させた後、前記機器本体の電源を遮断する通電解除モードとするか、あるいは必要最小限の部分にのみ通電するスリープモードとするように構成したことを特徴とする請求項１に記載のディスプレイユニットの制御装置。
【請求項３】
前記操作パネルを前記機器本体又は前記ディスプレイユニットから取り外した後、所定の時間を経過させてから前記ディスプレイユニットを前記機器本体に収容させるように構成したことを特徴とする請求項１または２に記載のディスプレイユニットの制御装置。
【請求項４】
機器本体に対して収容／突出可能に構成されたディスプレイユニットを備え、前記機器本体に対する前記ディスプレイユニットの収容動作及び突出動作を制御するディスプレイユニットの制御装置において、
前記機器本体又は前記ディスプレイユニットに対して操作パネルを着脱自在に取り付け、
前記ディスプレイユニットを前記機器本体に収容している状態で前記操作パネルを前記機器本体又は前記ディスプレイユニットに取り付けた時、前記ディスプレイユニットを前記機器本体より突出させるように構成したことを特徴とするディスプレイユニットの制御装置。
【請求項５】
前記ディスプレイユニットを、前記ディスプレイユニットが前記機器本体に収容される前の位置にまで突出させるように構成したことを特徴とする請求項４に記載のディスプレイユニットの制御装置。
【請求項６】
前記操作パネルを前記機器本体又は前記ディスプレイユニットに取り付ける前の状態が、前記機器本体の電源を遮断する通電解除モード、あるいは必要最小限の部分にのみ通電するスリープモードである場合、前記ディスプレイユニットを前記機器本体より突出させた後、通常の通電モードとするように構成したことを特徴とする請求項４または５に記載のディスプレイユニットの制御装置。
【請求項７】
前記ディスプレイユニットが収容動作あるいは突出動作を行う際、警告音を発するように構成したことを特徴とする請求項１〜６のいずれか１項に記載のディスプレイユニットの制御装置。
【発明の詳細な説明】
【０００１】
【発明の属する技術分野】
本発明は、可動式ディスプレイユニットの収容動作及び突出動作を制御する制御装置に係り、特に、車載用機器に好適なディスプレイユニットの制御装置に関するものである。
【０００２】
【従来の技術】
従来より、カーテレビやカーナビ等の車載用情報機器には薄型の液晶モニタからなるディスプレイユニットが組み込まれている。このディスプレイユニットは通常、機器本体に対してスライド自在に配置され、不使用時にはダッシュボード内の機器本体に収容しておき、使用時にのみ機器本体から突出するように構成されている。このような可動式のディスプレイユニットを採用することで、空間的に制限のある車内スペースを有効に利用することが可能である。また、ディスプレイユニットの収容時に、機器本体の電源を遮断する通電解除モードあるいは必要最小限の部分にのみ通電するスリープモードとし、ディスプレイユニットの突出時に通常の通電モードとするといった技術も提案されている（実用新案登録番号第２６０１３００号）。このような従来技術によれば、ディスプレイユニットの不使用時には通電解除モードあるいはスリープモードへ自動的に移行するため節電効果をあげることができると同時に、ディスプレイユニットの使用時には通電モードとする操作を省いて操作性の向上を図ることができる。
【０００３】
ところで、車載用情報機器は高級化が進んでおり、盗難防止対策を施すことが不可欠となっている。例えば、機器本体又はディスプレイユニットに対して機器の操作パネルを着脱自在に取り付けたシステムが考えられている。このシステムによれば、ユーザーが車両から離れる場合には前記操作パネルを機器本体又はディスプレイユニットから取り外す作業を行い、外した操作パネルをユーザーが携帯することで情報機器を操作不能とすることができる。これにより、情報機器の盗難事故を抑止することができる。
【０００４】
【発明が解決しようとする課題】
しかしながら、情報機器がディスプレイユニットを有する場合、車外からディスプレイユニットが見えていると高価な情報機器を搭載していることが一目瞭然であり、盗難の対象となり得た。そのため従来では、操作パネルの取り外し作業と共に、ディスプレイユニットの収容操作も行う必要があり、ユーザーが面倒と感じることが多かった。この結果、ディスプレイユニットの収容を怠り易く、盗難抑止効果を十分に発揮できないおそれがある。特に、操作パネル側にディスプレイユニットの動作を制御するスイッチが配置されている場合、操作パネルを取り外した後では、ディスプレイユニットを収容するためだけに再度操作パネルをつけ直さなくてはならず、非常に面倒であった。また、ディスプレイユニットの動作を制御するスイッチを操作パネルとは別に機器本体側に設けることも考えられる。この場合には、操作パネルの取り外し作業と、ディスプレイユニットの収容操作をそれぞれ独立して行うことができるが、ユーザーが面倒さを感じる点では変わりがなく、使い勝手を高めることが望まれていた。
【０００５】
本発明は、以上の状況を鑑みて提案されたものであり、その目的は、操作パネルの着脱と同時にディスプレイユニットの収容／突出動作を行うことにより、操作パネルを取り外した際にディスプレイユニットの収容し忘れを防ぐことができ、高品質な操作性と優れた盗難防止効果を発揮できるディスプレイユニットの制御装置を提供することにある。
【０００６】
【課題を解決するための手段】
上記の目的を達成するため、本発明は、機器本体に対して収容／突出可能に構成されたディスプレイユニットを備え、前記機器本体に対する前記ディスプレイユニットの収容動作及び突出動作を制御するディスプレイユニットの制御装置において、次のような技術的特徴を有している。
【０００７】
請求項１の発明は、前記機器本体又は前記ディスプレイユニットに対して操作パネルを着脱自在に取り付け、前記ディスプレイユニットが前記機器本体より突出している状態で前記操作パネルを前記機器本体又は前記ディスプレイユニットから取り外した時、前記ディスプレイユニットを前記機器本体に収容させるように構成したことを特徴としている。
以上の請求項１の発明によれば、操作パネルを機器本体又はディスプレイユニットから取り外すだけで、ディスプレイユニットを機器本体に自動的に収容させることができる。したがって、ディスプレイユニットの収容し忘れを防ぐことができ、ユーザーの行う操作を軽減できる。また、操作パネルを外した状態では常にディスプレイユニットが収容されるため、ディスプレイユニットの収容により盗難を抑止する車載用機器には好適である。
【０００８】
請求項２の発明は、請求項１記載のディスプレイユニットの制御装置において、前記ディスプレイユニットを前記機器本体に収容させた後、前記機器本体の電源を遮断する通電解除モードとするか、あるいは必要最小限の部分にのみ通電するスリープモードとするように構成したことを特徴としている。
以上の請求項２の発明では、ディスプレイユニットを機器本体に収容させた後、機器本体の電源を遮断する通電解除モードとするか、あるいは必要最小限の部分にのみ通電するスリープモードとすることで、節電効果を期待できる。
【０００９】
請求項３の発明は、請求項１または２に記載のディスプレイユニットの制御装置において、前記操作パネルを前記機器本体又は前記ディスプレイユニットから取り外した後、所定の時間を経過させてから前記ディスプレイユニットを前記機器本体に収容させるように構成したことを特徴としている。
以上の請求項３の発明では、操作パネルを機器本体又はディスプレイユニットから取り外した後、所定の時間を経過させてからディスプレイユニットを前記機器本体に収容させるので、操作パネルの取り外し動作とディスプレイユニットの収容動作が同時に行われることがない。そのため、ディスプレイユニットの収容口と操作パネルとが近接したレイアウトでも、収容されていくディスプレイユニットに操作パネルをつかんだユーザーの指が挟み込まれる危険がない。したがって、操作パネルの取り外し作業を安全且つ確実に行うことができる。
【００１０】
請求項４の発明は、前記機器本体又は前記ディスプレイユニットに対して操作パネルを着脱自在に取り付け、前記ディスプレイユニットを前記機器本体に収容している状態で前記操作パネルを前記機器本体又は前記ディスプレイユニットに取り付けた時、前記ディスプレイユニットを前記機器本体より突出させるように構成したことを特徴としている。
以上の請求項４の発明では、操作パネルを機器本体又はディスプレイユニットに取付けた時、ディスプレイユニットを機器本体より自動的に突出させることができる。したがって、ディスプレイユニットを即座に使用することができ、使い勝手が良好である。
【００１１】
請求項５の発明は、請求項４に記載のディスプレイユニットの制御装置において、前記ディスプレイユニットを、前記ディスプレイユニットが前記機器本体に収容される前の位置にまで突出させるように構成したことを特徴としている。
以上の請求項５の発明では、収容したディスプレイユニットを再度使用する場合に、元の位置に戻すことができる。そのため、ユーザーが使い易い状態を維持することができる。
【００１２】
請求項６の発明は、請求項４または５に記載のディスプレイユニットの制御装置において、前記操作パネルを前記機器本体又は前記ディスプレイユニットに取り付ける前の状態が、前記機器本体の電源を遮断する通電解除モード、あるいは必要最小限の部分にのみ通電するスリープモードである場合、前記ディスプレイユニットを前記機器本体より突出させた後、通常の通電モードとするように構成したことを特徴としている。
以上の請求項６の発明では、操作パネルを機器本体又はディスプレイユニットに取り付ける前の状態が通電解除モードあるいはスリープモードである場合、ディスプレイユニットを突出させた後、通電モードとすることができるため、ディスプレイユニットの使用時に通電モードとする操作を省くことができ、操作性が向上する。
【００１３】
請求項７の発明は、請求項１〜６のいずれか１項に記載のディスプレイユニットの制御装置において、前記ディスプレイユニットが収容動作あるいは突出動作を行う際、警告音を発するように構成したことを特徴としている。
以上の請求項７の発明では、ディスプレイユニットが収容動作あるいは突出動作を行う際、警告音を発するため、ユーザーの注意を喚起することができるので、ディスプレイユニットに指を挟んだり、ぶつけたりすることがなく、安全である。
【００１４】
【発明の実施の形態】
（１）代表的な実施の形態…図１〜図１０参照
［構成］
以下、本発明の実施の形態の一例について図面を参照して具体的に説明する。本実施の形態は請求項１、２、４、５、７を包含するものであり、図１〜図５は本実施の形態の斜視図、図６は本実施の形態の回路図、図７および図８は本実施の形態における動作のフローチャート、図９および図１０は本実施の形態における動作を説明するための側面図を示している。
【００１５】
図１〜図５に示すように、機器本体１には操作パネル２が着脱自在に取り付けられると共に、機器本体１に収容／突出可能なディスプレイユニット３が設けられている。操作パネル２には機器本体１に装着した時の正面側に複数のボタン２ａが配置されている。機器本体１には操作パネル２を取り外すための取り外しボタン１０が配置されている。
【００１６】
ディスプレイユニット３は、機器本体１内部の収容位置と機器本体１外部への進出位置との間を水平方向にスライド自在に設けられており、進出位置では奥側の側縁部を軸として水平状態からほぼ垂直状態まで回動可能に支持されている。ディスプレイユニット３の突出量と回動角度は任意の位置で停止するようになっており、その位置はメモリ位置として後述するマイクロコンピュータ５にて記憶、保存されるようになっている。また、ディスプレイユニット３には表示面３ａが形成されている。この表示面３ａはディスプレイユニット３が水平状態では下を向いており、垂直状態で操作者と向かい合うようになっている。なお、ディスプレイユニット３全体が収容位置にある時、その手前側縁部３ｂは機器本体１および操作パネル２の正面部と面を合わせて一体的に配置される。さらに、ディスプレイユニット３の手前側縁部３ｂにはディスプレイユニット３の収容／突出を行わせる開閉ボタン４が設置されている。
【００１７】
図６に示すように、開閉ボタン４は機器本体１に組み込まれたマイクロコンピュータ５に接続されている。マイクロコンピュータ５はディスプレイユニット３の収容動作及び突出動作を制御するものである。マイクロコンピュータ５には操作パネル２の着脱を感知する操作パネル感知スイッチ６、ディスプレイユニット３のメモリ位置を検出するメモリ位置検出スイッチ７、ディスプレイユニット３をスライドさせる駆動用モータ８、および警告音を出力する警告音出力部９が接続されている。
【００１８】
［動作］
続いて、本実施の形態におけるディスプレイユニット３の自動収納動作および自動突出動作について、図７〜図１０を用いて説明する。まず、ディスプレイユニット３の自動収納動作について図７のフローチャートに沿って述べる。取り外しボタン１０を押して操作パネル２を取り外した後、操作パネル２が取り外されたかどうかを判断する（ステップ１）。そして、操作パネル感知スイッチ６が操作パネル２の取り外しを感知した時、ディスプレイユニット３が収納状態かどうかを判断し（ステップ２）、ディスプレイユニット３が収納状態でなければ、駆動用モータ８が動作して自動的にこれを収納する（ステップ３）。この時、ディスプレイユニット３は図９に示すようにして機器本体１に収納されていく。図１〜図５の斜視図では図１、図２、図３、図４の順に移行していく。ディスプレイユニット３の収容後、あるいはディスプレイユニット３が収容状態にある場合、マイクロコンピュータ５は必要最小限の部分にのみ通電するスリープモードへと移行する（ステップ４）。
【００１９】
一方、ディスプレイユニット３の自動突出動作では、図８のフローチャートに示すように、操作パネル２が取り付けられたかどうかを判断する（ステップ５）。そして、操作パネル感知スイッチ６が操作パネル２の取り付けを感知した時、ディスプレイユニット３が収納状態かどうかを判断し（ステップ６）、ディスプレイユニット３が収納状態であれば、駆動用モータ８が動作してディスプレイユニット３を突出させ、メモリ位置検出スイッチ７がディスプレイユニット３のメモリ位置を検出した時点で自動的に停止する（ステップ７）。この時、ディスプレイユニット３は図１０に示すようにして機器本体１から突出されていく。図１〜図５の斜視図では図５、図４、図３、図１の順に移行していく。なお、上記フローチャートには示していないが、ディスプレイユニット３が収容動作あるいは突出動作を行う際には、警告音出力部９が警告音を発するようになっている。
【００２０】
［作用効果］
以上のような本実施の形態の作用効果は次の通りである。すなわち、操作パネル２を機器本体１から取り外すだけで、ディスプレイユニット３を機器本体１に自動的に収容させることができる。したがって、ディスプレイユニットの収容し忘れを防ぐことができ、ユーザーの行う操作を軽減できる。また、操作パネルを外した状態では常にディスプレイユニットが収容されるため、ディスプレイユニットの収容により盗難を抑止する車載用機器には好適である。
【００２１】
一方、操作パネル２を機器本体１に取付けた時にはディスプレイユニット３を機器本体１より自動的にメモリ位置まで突出させることができる。したがって、ディスプレイユニット３を即座にユーザーが使い易い状態に戻すことが可能であり、優れた使い勝手を得ることができる。さらに、ディスプレイユニット３を機器本体１に収容させた後、機器本体１のマイクロコンピュータ５をスリープモードとしているので、節電効果をあげることができる。また、本実施の形態では、ディスプレイユニット３が収容動作あるいは突出動作を行う際、警告音を発するため、ユーザーの注意を喚起することができ、ディスプレイユニット３に指を挟んだり、ぶつけたりするといった事故がなく、安全性が高い。
【００２２】
（２）他の実施の形態
本発明は以上の実施の形態に限定されるものではなく、操作パネルやデイプレイユニットの形状や大きさ、駆動モータやスイッチの構成などは適宜変更可能である。また、操作パネルを着脱させる場所は機器本体側ではなく、ディスプレイユニット側であっても良い。さらに、デイプレイユニットの回動方向も適宜選択可能であり、上述したように水平状態から立ち上がるように回動するのではなく、水平状態から倒れるように回動しても良い。ただしこの場合、ディスプレイユニットの表示面は水平状態で上面側に配置しておく。
【００２３】
請求項３に対応する実施の形態として、操作パネルを機器本体又はディスプレイユニットから取り外した後、所定の時間を経過させてからディスプレイユニットを機器本体に収容させるように構成しても良い。このような実施の形態によれば、操作パネルの取り外し動作とディスプレイユニットの収容動作が同時に行われないので、仮にディスプレイユニットの収容口と操作パネルとが非常に近接したレイアウトであっても、収容されていくディスプレイユニットに操作パネルをつかんだユーザーの指が挟み込まれる危険がない。したがって、操作パネルの取り外し作業を安全且つ確実に実施することができる。
【００２４】
また、請求項６に対応する実施の形態として、操作パネルを取り付ける前の機器本体が通電解除モードあるいはスリープモードである時、ディスプレイユニットを機器本体より突出させた後、通常の通電モードとするように構成しても良い。このような実施の形態によれば、ディスプレイユニットを突出させた直後に通電モードとするので、通電モードとする操作を省略可能であり、操作の簡略化が可能である。なお、本発明は車載用機器に好適であるが、近年多様化する情報家電機器にも適用可能であり、スペースの有効利用やインテリア性の向上に寄与することができる。
【００２５】
【発明の効果】
以上説明したように、本発明のディスプレイユニットの制御装置によれば、操作パネルの着脱と同時にディスプレイユニットの収容／突出動作を行うことにより、操作パネルを取り外した際にディスプレイユニットの収容し忘れを防ぐことができ、高品質な操作性と優れた盗難防止効果を発揮できることができる。
【図面の簡単な説明】
【図１】本発明の代表的な実施の形態の斜視図。
【図２】本実施の形態の斜視図。
【図３】本実施の形態の斜視図。
【図４】本実施の形態の斜視図。
【図５】本実施の形態の斜視図。
【図６】本実施の形態の回路図。
【図７】本実施の形態における自動収納動作を説明するためのフローチャート。
【図８】本実施の形態における自動突出動作を説明するためのフローチャート。
【図９】本実施の形態における動作を説明するための側面図。
【図１０】本実施の形態における動作を説明するための側面図。
【符号の説明】
１…機器本体
２…操作パネル
２ａ…ボタン
３…ディスプレイユニット
３ａ…表示面
３ｂ…手前側縁部
４…開閉ボタン
５…マイクロコンピュータ
６…操作パネル感知スイッチ
７…メモリ位置検出スイッチ
８…駆動用モータ
９…警告音出力部
１０…取り外しボタン
【図１】
2004034753.tif 000003
【図２】
2004034753.tif 000004
【図３】
2004034753.tif 000005
【図４】
2004034753.tif 000006
【図５】
2004034753.tif 000007
【図６】
2004034753.tif 000008
【図７】
2004034753.tif 000009
【図８】
2004034753.tif 000010
【図９】
2004034753.tif 000011
【図１０】
2004034753.tif 000012